(57)【要約】【課題】移動経路を簡素でかつＵターン部のない経路とし、エアフィルタが曲げに対する耐久性を必要とせず、寿命を延ばすことができるとともに、フィルタ清掃機構の駆動モータを小型化することができる空気調和機を提供することを目的とする。【解決手段】空気吸込口８および空気吹出口１０を備え、内部に空気流路１３が形成されている筐体５内の空気流路１３に、エアフィルタ１４、熱交換器１５、送風機１６が順次配設されるとともに、エアフィルタ１４を移動経路２７に沿って移動させ、捕集された塵埃を除去するフィルタ清掃機構２３が設けられている空気調和機１において、エアフィルタ１４の移動経路２７は、筐体５内の前面下方部位から空気流路１３の空気吹出口１０内に貫通して形成され、更に空気吹出口１０位置から空気流路１３を上流側に遡って該空気流路壁１３Ａと送風機１６との間の隙間３２を通過してその上流側に延在されている。【選択図】図３
2012037116.tif 000002
【特許請求の範囲】
【請求項１】
空気吸込口および空気吹出口を備え、内部に空気流路が形成されている筐体内に、前記空気吸込口と対向して付設されているエアフィルタと、該エアフィルタより下流側の前記空気流路中に順次配設されている熱交換器および送風機と、前記エアフィルタを移動経路に沿って移動させ、該エアフィルタにより捕集された塵埃を除去するフィルタ清掃機構とが設けられている空気調和機において、
前記エアフィルタの移動経路は、前記筐体内の前面下方部位から前記空気流路の前記空気吹出口内に貫通して形成され、更に前記空気吹出口位置から前記空気流路を上流側に遡って該空気流路壁と前記送風機との間の隙間を通過してその上流側に延在されていることを特徴とする空気調和機。
【請求項２】
前記エアフィルタの移動経路は、前記筐体内の前面下方部位から前記空気吹出口を経て前記空気流路の前記送風機上流側位置まで、前記エアフィルタが前記熱交換器の上流側に沿って滑らかに湾曲されて付設されている状態と略同程度に湾曲された滑らかな湾曲経路とされていることを特徴とする請求項１に記載の空気調和機。
【請求項３】
前記エアフィルタの移動経路の前記筐体内の前面下方部位から前記空気吹出口への貫通部には、開閉自在の蓋が設けられていることを特徴とする請求項１または２に記載の空気調和機。
【請求項４】
前記フィルタ清掃機構は、前記熱交換器の上流側に前記空気吸込口に沿って付設された前記エアフィルタの一端が位置される前記筐体内の前面下方部位に設置され、該フィルタ清掃機構を介して前記エアフィルタが前記移動経路内に移動可能とされていることを特徴とする請求項１ないし３のいずれかに記載の空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。その一例として、熱交換器の上流側に付設されているエアフィルタをフィルタ移動経路に沿って通常付設位置から、筐体前面に対向配置されている熱交換器の下方部付近で上方にＵターンさせた後、通常付設位置と熱交換器との間を通して再び上方に移動させるようにし、この間に、フィルタ移動経路のＵターン部付近に設置されている回転ブラシによりエアフィルタ上の塵埃を除去するように構成したものが特許文献１に示されている。
【０００３】
また、特許文献２には、筐体内の前面下部位置から上面および後面にかけて配設されている熱交換器の上流側にエアフィルタを付設し、該エアフィルタの通常付設位置における長さ方向の略中間部位に対応した筐体上面位置にフィルタ清掃機構を設け、熱交換器の上流側に付設されているエアフィルタの前面側の一部を、筐体の前面下方部位から空気吹出口内に移動させ、この間にエアフィルタの一部分をフィルタ清掃機構により清掃し、後面側の残りの一部を筐体のベース本体の背面側に移動させ、残りの未清掃部分をフィルタ清掃機構により清掃するようにしたものが提示されている。
【先行技術文献】
【特許文献】
【０００４】
【特許文献１】特許第４１７５４０９号公報
【特許文献２】特許第４１８２３２８号公報
【発明の概要】
【発明が解決しようとする課題】
【０００５】
上記特許文献１，２に示されるものでは、比較的大型のエアフィルタを付設することができるため、吸込み面積を十分に確保することができ、従って、風量の減少率を抑制することができる。しかしながら、特許文献１のものでは、筐体前面の熱交換器の下方部付近でエアフィルタを上方にＵターンさせる必要があり、エアフィルタが清掃の度に、Ｕターン部で強制的に曲げられることになる。このため、曲げに対して耐久性が必要となると同時に、エアフィルタを移動するフィルタ清掃機構のモータに大きな駆動トルクが掛かることから、高トルクの大型モータを用いる必要があり、コスト高となる等の課題があった。
【０００６】
また、特許文献２のものでは、Ｕターン経路が形成されておらず、従って、エアフィルタに曲げに対する耐久性が求められないものの、フィルタ清掃時に、エアフィルタの全面を清掃するには、エアフィルタを長さ方向２分し、少なくとも２回異なる方向に往復動させる必要があり、エアフィルタの移動制御が複雑化するとともに、筐体を構成するベース本体の背面側にエアフィルタの移動経路を形成する必要があり、エアフィルタ移動経路の複雑化、空気調和機の大型化は避けられない等の課題があった。
【０００７】
本発明は、このような事情に鑑みてなされたものであって、フィルタ移動経路を簡素でかつＵターン部のない経路とし、エアフィルタが曲げに対する耐久性を必要とせず、寿命を延ばすことができるとともに、フィルタ清掃機構の駆動モータを小型化とすることができる空気調和機を提供することを目的とする。
【課題を解決するための手段】
【０００８】
上記した課題を解決するために、本発明の空気調和機は、以下の手段を採用する。
すなわち、本発明にかかる空気調和機は、空気吸込口および空気吹出口を備え、内部に空気流路が形成されている筐体内に、前記空気吸込口と対向して付設されているエアフィルタと、該エアフィルタより下流側の前記空気流路中に順次配設されている熱交換器および送風機と、前記エアフィルタを移動経路に沿って移動させ、該エアフィルタにより捕集された塵埃を除去するフィルタ清掃機構とが設けられている空気調和機において、前記エアフィルタの移動経路は、前記筐体内の前面下方部位から前記空気流路の前記空気吹出口内に貫通して形成され、更に前記空気吹出口位置から前記空気流路を上流側に遡って該空気流路壁と前記送風機との間の隙間を通過してその上流側に延在されていることを特徴とする。
【０００９】
本発明によれば、エアフィルタを移動経路に沿って移動させ、該エアフィルタにより捕集された塵埃を除去するフィルタ清掃機構が設けられている空気調和機において、エアフィルタの移動経路が、筐体内の前面下方部位から空気流路の空気吹出口内に貫通して形成され、更に空気吹出口位置から空気流路を上流側に遡って該空気流路壁と送風機との間の隙間を通過してその上流側に延在されているため、フィルタ清掃時、熱交換器の上流側に付設されているエアフィルタを筐体内の前面下方部位から空気流路の空気吹出口内へと貫通させ、そこから空気流路を遡って送風機の上流側位置までの間の空気流路をエアフィルタの移動経路に兼用化することにより、エアフィルタの移動経路長を十分確保することができる。従って、吸込み面積を大きくして大型のエアフィルタを設置したとしても、その移動経路を既存の空気流路を利用して十分に確保することができ、Ｕターン部等を設ける必要がなく、エアフィルタ移動経路を簡素化してフィルタ清掃機構付き空気調和機の低コスト化、コンパクト化を図ることができる。また、エアフィルタをＵターンさせることなく滑らかに移動させることができるため、曲げに対する耐久性を必要とせず、エアフィルタの寿命を延ばすことができるとともに、フィルタ清掃機構の駆動モータに低トルクで小型のモータを使用可能とし、コスト低減を図ることができる。
【００１０】
さらに、本発明の空気調和機は、上記の空気調和機において、前記エアフィルタの移動経路は、前記筐体内の前面下方部位から前記空気吹出口を経て前記空気流路の前記送風機上流側位置まで、前記エアフィルタが前記熱交換器の上流側に沿って滑らかに湾曲されて付設されている状態と略同程度に湾曲された滑らかな湾曲経路とされていることを特徴とする。
【００１１】
本発明によれば、エアフィルタの移動経路が、筐体内の前面下方部位から空気吹出口を経て空気流路の送風機上流側位置まで、エアフィルタが熱交換器の上流側に沿って滑らかに湾曲されて付設されている状態と略同程度に湾曲された滑らかな湾曲経路とされているため、エアフィルタの移動経路をＵターン部のような急激な湾曲部のない全体として滑らかに大きく湾曲された経路とすることができる。従って、エアフィルタを強引に曲げて移動させる必要がなく、曲げに対する耐久性を必要とせず、寿命を延ばすことができるとともに、フィルタ清掃機構の駆動モータに低トルクで小型のモータを使用可能とし、コスト低減を図ることができる。
【００１２】
さらに、本発明の空気調和機は、上述のいずれかの空気調和機において、前記エアフィルタの移動経路の前記筐体内の前面下方部位から前記空気吹出口への貫通部には、開閉自在の蓋が設けられていることを特徴とする。
【００１３】
本発明によれば、エアフィルタの移動経路の筐体内の前面下方部位から空気吹出口への貫通部に、開閉自在の蓋が設けられているため、空調運転が停止された状態で行われるフィルタ清掃時には、蓋を開いてエアフィルタを空気吹出口から空気流路へと移動させて清掃することができ、一方、エアフィルタが通常の付設位置に設置されている空調運転時には、蓋を閉じておくことにより、エアフィルタの移動経路からの空気流のバスパスを阻止することができる。従って、空気流路をエアフィルタの移動経路として利用しても空調運転への影響を皆無とすることができ、エアフィルタの移動経路を簡素化してフィルタ清掃機構付き空気調和機の低コスト化、コンパクト化を図ることができる。
【００１４】
さらに、本発明の空気調和機は、上述のいずれかの空気調和機において、前記フィルタ清掃機構は、前記熱交換器の上流側に前記空気吸込口に沿って付設された前記エアフィルタの一端が位置される前記筐体内の前面下方部位に設置され、該フィルタ清掃機構を介して前記エアフィルタが前記移動経路内に移動可能とされていることを特徴とする。
【００１５】
本発明によれば、フィルタ清掃機構が、熱交換器の上流側に空気吸込口に沿って付設されたエアフィルタの一端が位置される筐体内の前面下方部位に設置され、該フィルタ清掃機構を介してエアフィルタが移動経路内に移動可能とされているため、エアフィルタの清掃時、熱交換器の上流側に付設されているエアフィルタの一端を筐体内の前面下方部位から空気流路の空気吹出口内へと貫通させ、そこから空気流路を遡って送風機の上流側位置まで一方向に移動（往動）させるだけで、エアフィルタの全面をフィルタ清掃機構によって清掃することができる。従って、大型のエアフィルタであっても、該エアフィルタを移動経路に沿って一往復させる間にその全面を清掃することができ、エアフィルタの移動を単純化して短時間でエアフィルタを自動清掃することができるとともに、その移動経路を簡素化してフィルタ清掃機構付き空気調和機の低コスト化およびコンパクト化を図ることができる。
【発明の効果】
【００１６】
本発明によると、フィルタ清掃時、熱交換器の上流側に付設されているエアフィルタを筐体内の前面下方部位から空気流路の空気吹出口内へと貫通させ、そこから空気流路を遡って送風機の上流側位置までの間の空気流路をエアフィルタの移動経路に兼用化することにより、エアフィルタの移動経路長を十分確保することができるため、吸込み面積を大きくして大型のエアフィルタを設置したとしても、その移動経路を既存の空気流路を利用して十分に確保することができ、Ｕターン部等を設ける必要がなく、エアフィルタ移動経路を簡素化してフィルタ清掃機構付き空気調和機の低コスト化、コンパクト化を図ることができる。また、エアフィルタをＵターンさせることなく滑らかに移動させることができるため、曲げに対する耐久性を必要とせず、エアフィルタの寿命を延ばすことができるとともに、フィルタ清掃機構の駆動モータに低トルクで小型のモータを使用可能とし、コスト低減を図ることができる。
【図面の簡単な説明】
【００１７】
【図１】本発明の一実施形態に係る空気調和機の外観斜視図である。
【図２】図１に示す空気調和機のフロントパネルを取外した状態の斜視図である。
【図３】図１に示す空気調和機のエアフィルタが通常付設位置に配設されている状態の縦断面図である。
【図４】図１に示す空気調和機のエアフィルタがフィルタ清掃時に移動されている途中状態の縦断面図である。
【図５】図１に示す空気調和機のエアフィルタがフィルタ清掃時に移動終了（往動終了）位置まで移動された状態の縦断面図である。
【発明を実施するための形態】
【００１８】
以下に、本発明の一実施形態について、図１ないし図５を参照して説明する。
図１には、本発明の一実施形態に係る空気調和機の外観斜視図が示され、図２には、そのフロントパネルを取外した状態の斜視図が示され、更に図３には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に取り付けられたフロントパネル４とから構成された横長長方形状の筐体５を備えている。
【００１９】
筐体５を構成しているフロントカバー３の前面および上面は、その略全面が格子状の桟６，７とされ、該桟６，７により空気吸込口８が形成されるとともに、該桟６，７がフィルタガイドを兼ねるように構成されている。フロントカバー３の上面には、吸込みグリル９が設置されており、下面の前方部位には、略全幅にわたり温調された空気を室内に吹出す空気吹出口１０が開口されている。空気吹出口１０には、風向を左右方向に変更する複数枚のルーバ１１と、風向を上下方向に変更するとともに、空気吹出口１０を閉鎖可能な左右に２分割されている上下各２枚の水平フラップ１２が設けられている。このルーバ１１および水平フラップ１２は、図示省略のモータによって、それぞれ独立して回動されるように構成されている。
【００２０】
筐体５の内部には、前面および上面の空気吸込口８から下面前方部位の空気吹出口１０に至る間に空気流路１３が形成されており、この空気流路１３中に上流側からエアフィルタ１４、室内熱交換器（熱交換器）１５および送風機１６が順次配設されている。吸込みグリル９を介して吸込まれた室内空気は、エアフィルタ１４を通過して塵埃が除去された後、室内熱交換器１５により冷却または加熱され、送風機１６を介して空気吹出口８から室内に吹出されるようになっている。エアフィルタ１４は、左右に２分割されて設置されており、該エアフィルタ１４の背面側の前面上方部位には、それぞれ横長の空清フィルタ１７が配設されている。
【００２１】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に送風機１６を構成している細長い筒状のクロスフローファンが配設されている。エアフィルタ１４は、室内熱交換器１２の上流側において、筐体５を構成しているフロントカバー３の前面および上面の略全面に設けられている格子状の桟６，７の前面側領域を覆うように、多数のフィルタガイドによって形成されるフィルタガイド経路１８に沿って付設されている。
【００２２】
フィルタガイド経路１８は、フロントカバー３の桟６，７の表面、吸込みグリル９の下面、フロントカバー３の前面側に設置されているフィルタガイド１９、空清フィルタ１７のフィルタ枠２０の外表面、該フィルタ枠２０に対向してフロントカバー３の前面上方部位に設置されているフィルタガイド２１、フロントパネル４の背面にフィルタガイド１９と対向配置されているフィルタガイド部材２２等々の多数のフィルタガイドによって形成されている。
【００２３】
このフィルタガイド経路１８を介して室内熱交換器１５の上流側に沿って付設されているエアフィルタ１４は、その上流側捕集面に捕集された塵埃を除去するため、フィルタ清掃機構２３によりフィルタガイド経路１８内を往復動可能とされている。フィルタ清掃機構２３は、エアフィルタ１４上に捕集されている塵埃を除去してエアフィルタ１４を自動清掃するものであり、フロントカバー３の前面側の下方部位に設置されている。
【００２４】
本実施形態のフィルタ清掃機構２３は、エアフィルタ１４を往復動させるための左右一対の円筒状フィルタ駆動ローラ２４（図２参照）と、このフィルタ駆動ローラ２４の下方部位に対向配置され、該フィルタ駆動ローラ２４により移動されるエアフィルタ１４の塵埃捕集面から塵埃を掻き取る左右一対の回転ブラシ（清掃ブラシ）２５と、該回転ブラシ２５で掻き取った塵埃を回収して溜め込む左右一対の着脱可能なダストボックス２６とを備えた構成とされている。
【００２５】
フィルタ駆動ローラ２４の左右両端部には、歯車２４Ａが設けられており、この歯車２４Ａにエアフィルタ１４のフィルタ枠の左右両側に設けられているラック１４Ａが噛合わされている。これにより、フィルタ駆動ローラ２４を介してエアフィルタ１４がフィルタガイド経路１８内を往復動可能とされている。なお、フィルタ駆動ローラ２４は、図示省略のステッピングモータ等を介して正逆回転されるようになっている。
【００２６】
また、フィルタ清掃時、エアフィルタ１４がフィルタ清掃機構２３のフィルタ駆動ローラ２４を介して移動されたとき、その一端部を空気吹出口１０内に貫通移動する第２フィルタガイド経路（移動経路）２７が、ダストボックス２６と室内熱交換器１５の下部に設置されているドレンパン２８との間に形成されている。この第２フィルタガイド経路２７の空気吹出口１０内への貫通部２９には、支軸３０を支点に開閉自在の蓋３１が設けられており、通常の空調運転時には、貫通部２９を閉鎖し、フィルタ清掃時には、貫通部２９を開き、エアフィルタ１４を空気吹出口１０内に移動可能に構成されている。
【００２７】
第２フィルタガイド経路２７を介して空気吹出口１０内に移動されたエアフィルタ１４の一端は、蓋３１をガイドに空気吹出口１０位置から空気流路１３を上流側に遡り、送風機１６と空気流路１３を形成している空気流路壁１３Ａに沿って設けられている複数条のリブ３３との間の隙間３２を通過し、送風機１６の上流側まで移動されるように構成されている。つまり、エアフィルタ１４の移動経路は、既存の空気流路１３を利用することによって、空気吹出口１０位置から空気流路１３を上流側に遡って該空気流路壁１３Ａと送風機１６との間の隙間３２を通過してその上流側位置まで延在されている。また、空気流路壁１３Ａの内面には、空気流方向に沿ってリブ３３が複数条設けられている。このリブ３３は、エアフィルタ１４を移動させる際の抵抗を低減する上で有効である。
【００２８】
さらに、空気流路１３を利用して形成されるエアフィルタ１４の移動経路は、筐体５内の前面下方部位から空気吹出口１０を経て空気流路１３の送風機１６の上流側位置に至るまでの間、エアフィルタ１４が熱交換器１５の上流側に沿って滑らかに湾曲されて付設されている状態（図３参照）と略同程度に湾曲された滑らかな湾曲経路（図４，５参照）により形成されている。なお、送風機１６と空気流路壁１３Ａとの間の隙間３２は、一般に７〜８ｍｍ程度に設定されており、この隙間３２を通して厚さが３ｍｍ程度とされているエアフィルタ１４を十分移動させることができる。また、この際、送風機１６が空転されることから、エアフィルタ１４を円滑に送風機１６の上流側に導くことができる。
【００２９】
以上に説明の構成により、本実施形態によれば、以下の作用効果を奏する。
空気調和機１が運転されると、送風機１６の回転により、室内空気が吸込みグリル９および空気吸込口８を経て筐体５内に吸込まれる。該空気は、エアフィルタ１４および空清フィルタ１７を通過する過程で塵埃、臭気等が除去され、清浄化されて室内熱交換器１５に供給される。そして、この空気が室内熱交換器１５で内部を流通する冷媒と熱交換されて冷却または加熱された後、空気流路１３、空気吹出口１０を経て室内に吹出されることによって、室内の冷房または暖房に供される。
【００３０】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、フィルタ清掃機構２３のフィルタ駆動ローラ２４および回転ブラシ２５を回転駆動し、フィルタガイド経路１８に沿って付設されているエアフィルタ１４を、第２フィルタガイド経路２７を経て空気吹出口１０および空気流路１３内へと移動させることによって行われる。
【００３１】
つまり、フィルタ駆動ローラ２４の回転により、歯車２４Ａにラック１４Ａを介して噛み合っているエアフィルタ１４が移動され、このエアフィルタ１４の一端は、図３に示されるように、フィルタガイド経路１８に沿って付設されている位置から、図４に示されるように、第２フィルタガイド経路２７を経て開閉自在の蓋３１を開き、空気吹出口１０内に貫通し、空気流路１３へと往動される。この間、フィルタ駆動ローラ２４と対向配置されている回転ブラシ２５がエアフィルタ１４の塵埃捕集面に接触し、エアフィルタ１４上に蓄積されている塵埃を掻き取り、該塵埃をダストボックス２６内に回収することによって、エアフィルタ１４の塵埃捕集面が自動的に清掃される。
【００３２】
図４は、エアフィルタ１４の全長の略半分が第２フィルタガイド経路２７を経て空気吹出口１０および空気流路１３内に移動された状態を示している。この状態から、エアフィルタ１４の残り半分を清掃するため、エアフィルタ１４が更に移動されると、エアフィルタ１４の一端は、送風機１６の外周に沿って、該送風機１６と空気流路壁１３Ａとの間の隙間３２を通過して送風機１６の上流側位置まで移動される。そして、エアフィルタ１４の一端が、図５に示されるように、室内熱交換器１５に当る直前位置に到達すると、エアフィルタ１４の全面の清掃が完了され、エアフィルタ１４の往動が停止される。
【００３３】
こうして、エアフィルタ１４の自動清掃が完了すると、フィルタ駆動ローラ２４が逆回転され、エアフィルタ１４は、図５に示される位置から、上記経路を逆方向に移動されることにより、図３に示されるように、フィルタガイド経路１８を介して室内熱交換器１５の上流側セットされた通常付設位置に戻される。一方、ダストボックス２６は、エアフィルタ１４から除去された塵埃を一定量溜め込むことができるようになっており、適宜量の塵埃が溜まったとき、ダストボックス２６を筐体５から取り外すことによって、溜め込まれた塵埃を廃棄処分することができる。
【００３４】
斯くして、本実施形態によれば、エアフィルタ１４の移動経路が、筐体５内の前面下方部位から空気流路１３の空気吹出口１０内に貫通して形成され、更に空気吹出口１０位置から空気流路１３を上流側に遡って該空気流路壁１３Ａと送風機１６との間の隙間３２を通過してその上流側に延在されているので、フィルタ清掃時、室内熱交換器１５の上流側に付設されているエアフィルタ１４を筐体５内の前面下方部位から空気流路１３の空気吹出口１０内へと貫通させ、そこから空気流路１３を遡って送風機１６の上流側位置までの間の空気流路１３をエアフィルタ１４の移動経路として利用することにより、エアフィルタ１４の移動経路長を十分に確保することができる。
【００３５】
このため、吸込み面積を十分確保して大型のエアフィルタ１４を設置したとしても、その移動経路を既存の空気流路１３を利用して確保することができることから、Ｕターン部等を設ける必要がなく、エアフィルタ１４の移動経路を簡素化してフィルタ清掃機構付き空気調和機１の低コスト化、コンパクト化を図ることができる。また、エアフィルタ１４をＵターンさせることなく滑らかに移動させることができるため、曲げに対する耐久性を必要とせず、寿命を延ばすことができるとともに、フィルタ清掃機構２３のフィルタ駆動モータに低トルクで小型のモータを使用可能とし、コスト低減を図ることができる。
【００３６】
さらに、エアフィルタ１４の移動経路（第２フィルタガイド経路２７および空気流路１３）が、筐体５内の前面下方部位から空気吹出口１０を経て空気流路１３の送風機１６の上流側位置まで、エアフィルタ１４が室内熱交換器１５の上流側に沿って滑らかに湾曲されて付設されている状態と略同程度に湾曲された滑らかな湾曲経路（第２フィルタガイド経路２７および空気流路１３）によって形成されている。このため、エアフィルタ１４の移動経路をＵターン部のような急激な湾曲部のない全体として滑らかに大きく湾曲された経路とすることができ、従って、エアフィルタ１４を強引に湾曲させて移動させる必要がなく、曲げに対する耐久性を必要とせず、寿命を延ばすことができるとともに、フィルタ清掃機構２３の駆動モータに低トルクで小型のモータを使用可能とし、コスト低減を図ることができる。
【００３７】
また、エアフィルタ１４の第２フィルタガイド経路２７の筐体５内の前面下方部位から空気吹出口１０への貫通部２９に、開閉自在の蓋３１が設けられているため、空調運転が停止された状態で行われるフィルタ清掃時には、蓋３１を開いてエアフィルタ１４を空気吹出口１０から空気流路１３へと移動させて清掃することができ、一方、エアフィルタ１４が通常の付設位置に設置されている空調運転時には、蓋３１を閉じておくことにより、エアフィルタ１４の移動経路（第２フィルタガイド経路２７）からの空気流のバスパスを阻止することができる。従って、空気流路１３をエアフィルタ１４の移動経路に利用しても空調運転への影響を皆無とすることができ、エアフィルタ１４の移動経路を簡素化してフィルタ清掃機構付き空気調和機１の低コスト化、コンパクト化を図ることができる。
【００３８】
また、フィルタ清掃機構２３が、室内熱交換器１５の上流側に空気吸込口８に沿って付設されたエアフィルタ１４の一端が位置される筐体５内の前面下方部位に設置され、該フィルタ清掃機構２３を介してエアフィルタ１４が移動経路（第２フィルタガイド経路２７および空気流路１３）内に移動可能とされているため、エアフィルタの清掃時、室内熱交換器１５の上流側に付設されているエアフィルタ１４の一端を筐体５内の前面下方部位から空気流路１３の空気吹出口１０内へと貫通させ、そこから空気流路１３を遡って送風機１６の上流側位置まで一方向に移動（往動）させるだけで、エアフィルタ１４の全面をフィルタ清掃機構２３によって清掃することができる。
【００３９】
従って、吸込み面積を十分確保して大型のエアフィルタ１４を設置した場合でも、該エアフィルタ１４を移動経路（第２フィルタガイド経路２７および空気流路１３）に沿って一往復させる間にその全面を清掃することができ、エアフィルタ１４の移動を単純化して短時間でエアフィルタ１４を自動清掃することができるとともに、移動経路（第２フィルタガイド経路２７および空気流路１３）の構成を簡素化してフィルタ清掃機構付き空気調和機１の低コスト化およびコンパクト化を図ることができる。
【００４０】
さらに、本実施形態においては、空気流路壁１３Ａの内面にその空気流方向に沿うリブ３３が設けられているため、エアフィルタ１４を空気流路１３内へと移動させる際の抵抗を低減し、エアフィルタ１４を移動し易くすることができる。また、エアフィルタ１４の剛性が低い場合は、図５に２点鎖線で示されるように、エアフィルタ１４が押し込み力により内側に座屈される可能性もあるが、ルーバ１１やリブ３３等のサポートにより、かかる座屈を防止することができる。なお、ルーバ１１の高さは、エアフィルタ１４が移動可能な適正高さに調整されることは云うまでもない。
【００４１】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。また、フィルタ清掃機構２３は、エアフィルタ１４が移動される方式であれば、如何なる構成であってもよく、例えば回転ブラシ式である必要はなく、固定式の掻き取りブラシを用いてもよい。
【符号の説明】
【００４２】
１  空気調和機
５  筐体
８  空気吸込口
１０  空気吹出口
１３  空気流路
１３Ａ  空気流路壁
１４  エアフィルタ
１５  室内熱交換器（熱交換器）
１６  送風機
１８  フィルタガイド経路
２３  フィルタ清掃機構
２７  第２フィルタガイド経路（移動経路）
２９  貫通部
３１  蓋
３２  隙間
【図１】
2012037116.tif 000003
【図２】
2012037116.tif 000004
【図３】
2012037116.tif 000005
【図４】
2012037116.tif 000006
【図５】
2012037116.tif 000007